(57)【要約】【課題】無線タグ等を用いてテレビ番組の番組識別情報を特定しＥＰＧ情報で検索することで、容易に録画予約を行うことができる記録装置と方法を提供。【解決手段】番組識別情報に応じた放送地域毎の放送チャンネル及び放送時間をもつ電子番組情報を取得する取得部１２，１４と、タグに記録された番組識別情報を読み取る読取部２１，３１と、読み取った番組識別情報に対応する情報を電子番組情報から検索する検索部１９と、読み取った番組識別情報に対応する情報が電子番組情報に有る場合、これに応じた放送チャンネルと放送時間に基づき録画予約を行う録画予約管理部２０と、録画予約により放送信号を受信し記録する記録部１３，１５，１６とを有する記録装置及び記録方法であり、例えば、無線タグをかざすだけで容易に録画予約を行うことができる。【選択図】    図１
2004173004.tif 000002
【特許請求の範囲】
【請求項１】
番組識別情報に応じた放送地域毎の放送チャンネル及び放送時間をもつ電子番組情報を取得する取得手段と、
タグに記録された番組識別情報を読み取る読取手段と、
前記読み取った番組識別情報に対応する放送チャンネル及び放送時間が前記電子番組情報に有るか無いかを検索する検索手段と、
前記検索手段によって有ると判明した場合、この判明した放送チャンネル及び放送時間に基づき録画予約を行う予約手段と、
前記録画予約により、放送信号を受信し記録する記録手段と、
を具備することを特徴とする記録装置。
【請求項２】
前記番組識別情報が記録されるタグは、非接触ＩＣチップであることを特徴とする請求項１記載の記録装置。
【請求項３】
前記番組識別情報が記録されるタグは、バーコードであることを特徴とする請求項１記載の記録装置。
【請求項４】
前記取得手段が取得する電子番組情報の番組識別情報は、番組タイトルであることを特徴とする請求項１記載の記録装置。
【請求項５】
前記取得手段が取得する電子番組情報の番組識別情報は、番組ＩＤであることを特徴とする請求項１記載の記録装置。
【請求項６】
前記予約手段が録画予約を行った後に、前記取得手段が再び前記電子番組情報を取得し、これが更新されている時、前記読取手段が読み取った番組識別情報に対応する放送チャンネル及び放送時間を前記更新された電子番組情報から再び検索し、放送時間に変更があれば、新たな放送時間に基づき録画予約を更新する更新手段を更に具備することを特徴とする請求項１記載の記録装置。
【請求項７】
前記予約手段による録画予約に応じて前記記録手段が記録している間に、前記取得手段が再び前記電子番組情報を取得し、これが更新されている時、前記読取手段が読み取った番組識別情報に対応する放送チャンネル及び放送時間を前記更新された電子番組情報から再度検索し、放送時間に変更があれば、新たな放送終了時間まで録画を継続する継続手段を更に具備することを特徴とする請求項１記載の記録装置。
【請求項８】
前記読取手段が読み取る前記番組識別情報は、番組固有の情報であることを特徴とする請求項１記載の記録装置。
【請求項９】
番組識別情報に応じた放送地域毎の放送チャンネル及び放送時間をもつ電子番組情報を取得し、
タグに記録された番組識別情報を読み取り、
前記読み取った番組識別情報に対応する放送チャンネル及び放送時間が前記電子番組情報に有るか無いかを検索し、
有ると判明した場合、この判明した放送チャンネル及び放送時間に基づき録画予約を行い、
前記録画予約により、放送信号を受信し記録することを特徴とする記録方法。
【発明の詳細な説明】
【０００１】
【発明の属する技術分野】
この発明は、記録媒体へ放送信号を予約録画する記録装置に関し、特に、無線タグやバーコード等のタグにより録画予約を行う記録装置及び記録方法に関する。
【０００２】
【従来の技術】
最近、テレビ放送の番組関連情報を画面上に表示するＥＰＧ（電子番組情報、Ｅｌｅｃｔｒｏｎｉｃ  Ｐｒｏｇｒａｍ  Ｇｕｉｄｅ）情報が放送記録装置やテレビジョン装置等において実用化されている。
【０００３】
このＥＰＧ情報は、従来の地上波放送などアナログ伝送システムにおいては、映像信号のＶＢＩ（垂直帰線消去期間  Ｖｅｒｔｉｃａｌ  Ｂｌａｎｋｉｎｇ  Ｉｎｔｅｒｖａｌ）に重畳して伝送する方法が用いられている。又、デジタル衛星放送などのデジタル伝送システムにおいては、ＥＰＧ情報は専用のデータパケットとしてデジタル伝送される。いずれの場合も放送記録装置側でＥＰＧ情報を解読して番組表や番組関連情報を利用するものであり、例えば、記録装置の録画予約に利用することも可能である。
【０００４】
これに関連するＥＰＧ情報を利用した従来装置として、ユーザが番組タグ（メッセージ）を作成して入力し、これに応じてＥＰＧ情報を利用して録画予約を行うことが示唆されている（特許文献１参照）。
【０００５】
【特許文献１】
特開２００２−３３９９６８号公報の図４４。
【０００６】
【発明が解決しようとする課題】
しかしながら、この従来技術には、地方によって放送チャンネルや放送時刻が異なっている場合、メッセージにより、地方ごとの放送チャンネルや放送時刻を特定する手法が示されていないという問題がある。又、このメッセージとＥＰＧ情報とをどう組み合わせて録画予約を容易に行うかが示されていないため、ユーザの負担となっている録画予約の操作を容易に行うことができないという問題がある。
本発明は、無線タグやバーコード等のタグを用いてテレビ番組の番組識別情報を特定しＥＰＧ情報で検索することで、地方によって放送チャンネルや放送時刻が異なっていても放送チャンネルや放送時間を自動検出し、容易に録画予約を行うことができる記録装置を提供することを目的とする。
【０００７】
【課題を解決するための手段】
上記課題を解決するべく本発明は、番組識別情報に応じた放送地域毎の放送チャンネル及び放送時間をもつ電子番組情報を取得する取得手段と、タグに記録された番組識別情報を読み取る読取手段と、前記読み取った番組識別情報に対応する放送チャンネル及び放送時間が前記電子番組情報に有るか無いかを検索する検索手段と、前記検索手段によって有ると判明した場合、この判明した放送チャンネル及び放送時間に基づき録画予約を行う予約手段と、前記録画予約により、放送信号を受信し記録する記録手段とを具備することを特徴とする記録装置である。
【０００８】
本発明に係る記録装置は、以下のように、容易な録画予約を実現するものである。すなわち、テレビ番組の録画予約情報を記録した無線タグ等の記憶媒体を全国で配布する場合、地方によって番組の放映チャンネル、放映時刻が異なることが考えられる。そこで記憶媒体に、そのテレビ番組に特有の識別情報を記録させておき、これを放送記録装置に読み取らせ、この識別情報につき、取得した電子番組情報であるＥＰＧ情報の中を検索する。ＥＰＧ情報は、その地方のものが取得されているので、対応する番組情報により、放送時間と放送チャンネルとが特定できる。従って、ユーザは、無線タグ等を放送記録装置にかざすだけで、その無線タグが指定する番組の録画予約を行うことができる。
すなわち、従来装置においては、録画予約の機能は操作が煩雑なため、特に、電子機器の操作に不慣れな年配者や幼年のユーザには使用されることが少なかった。本発明によれば、無線タグ等による直感的な操作により録画予約を行うことができるので、録画予約機能を手軽に活用できる記録装置と記録方法を提供することができる。
【０００９】
【発明の実施の形態】
以下、図面を参照して本発明の実施形態である放送記録装置を詳細に説明する。図１は、本発明に係る放送記録装置の一例の構造を示すブロック図、図２は、他の一例の構造を示すブロック図、図３は、本発明に係る放送記録装置に用いる非接触ＩＣモジュールのリーダ部の一例の構造を示すブロック図、図４は、非接触ＩＣモジュールの一例の構造を示すブロック図である。
【００１０】
＜本発明に係る放送記録装置＞
（構成）
本発明に係る放送記録装置Ｒは、図１に示すように、一例として、デジタル放送を受信するデジタル放送記録装置Ｒであり、以下の実施形態は、デジタル放送記録装置Ｒを例に挙げて説明する。デジタル放送記録装置Ｒは、パラボラアンテナＰに接続され、放送信号を選局し復調して少なくともビデオ信号とオーディオ信号とを供給する一方、放送信号に重畳されるＥＰＧ情報（放送番組情報）を分離抽出するＥＰＧ検出機能を備えたレシーバ部１２を有しており、更に、インターネット等からＥＰＧ情報を取得する通信部１４を備えている。デジタル放送記録装置Ｒは、更に、ハードディスクドライブ部１５、又は、光ディスクＤから読み出されるオーディオ・ビデオ信号をそれぞれデコードするビデオ部１７、オーディオ部１８を有するデコーダ部１３と、外部等から与えられる信号をエンコードして記録するエンコーダ部１３とを有している。更に、デジタル放送記録装置Ｒは、エンコーダ・デコーダ部に接続され、これらのエンコードされたビデオ・音声信号を録画するハードディスクドライブ部１５と、ＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）などの光ディスクＤに記録し再生するためのディスクドライブ部１６と、全体の動作を司る制御部１１とを有している。この制御部１１は更に、取得するＥＰＧ情報からの番組情報の検索を行うＥＰＧ検索部１９と、録画予約情報を生成し管理する録画予約管理部２０を有している。
【００１１】
又、更に、後述する非接触ＩＣモジュールである非接触ＩＣチップ２４をもつ無線タグ２３から供給される番組識別信号を検出する無線タグリーダ２１と、これに接続されるアンテナ部２２とを有している。
又、更に、図２に示すタイプのデジタル放送記録装置Ｒにおいては、バーコード情報３３を読み出すバーコードリーダ３２と、ここからの読取信号を適宜変換して制御部１１に供給するバーコードリーダ部３１とを更に有している。
又、無線タグリーダ２１は、図３に示すように、制御回路４０と、これらに接続されるメモリ４１と、送信回路４２と、受信回路４３とを有しており、更に、これらに接続されるアンテナ部２２を備えている。
又、無線タグ２３の非接触ＩＣチップ２４は、アンテナ部４５に接続され、変調・復調処理を行う変復調回路４６と、電源発生回路４７とを有しており、これらに接続され全体の制御を司る制御部４４と、これに接続され、番組識別情報が格納されるメモリ４８とを有している。
（デジタル放送受信装置の動作）
上述したデジタル放送記録装置Ｒは、以下のように、受信動作、録画動作、再生動作、及び後に詳述する録画予約動作を行う。すなわち、受信動作においては、図示しないコントロールパネルやリモコンからの操作に応じて、制御部１１の制御下において、パラボラアンテナＰから供給される放送信号をレシーバ部１２により選局し復調して、少なくともオーディオ信号とビデオ信号とをデコーダ部１３に供給する。デコーダ部１３では、適切な補正処理や増幅処理を行った後に、出力端子を介して外部装置へと供給する。
更に、録画動作においては、同様に制御部１１の制御下において、外部から与えられるビデオ信号・オーディオ信号、又は、レシーバ部１２から供給される放送信号に応じるビデオ信号・オーディオ信号等をエンコード部１３によりエンコードして、ハードディスクドライブ１５、又は、ＤＶＤ−ＲＡＭ等の光ディスクＤへと録画処理を行う。
又、更に、再生動作においては、ハードディスクドライブ１５、又は、ＤＶＤ−ＲＡＭ等の光ディスクＤに記録されているコンテンツ信号を読み出し、更に、これをエンコード部で復号することで、ビデオ信号・オーディオ信号へと変換する。そして、適切な補正処理や増幅処理を行った後に、出力端子を介して外部装置へと供給する。
本発明に係るデジタル放送記録装置Ｒにおいては、更に、後述するように、予め与えられた放送チャンネル情報や放送時間情報に基づいて行う予約録画を行うことができ、このとき、無線タグ２３やバーコード等のタグを用いることで、非常に容易に録画予約を可能とする。
（予約動作）
次に、本発明に特有の録画予約処理をフローチャートを用いて詳細に説明する。図５は、本発明に係る放送記録装置に用いる電子番組表の一例を示す図、図６は、電子番組表のデータの一例を示す図、図７は、予約動作の一例を示すフローチャート、更に、図８は、録画中の更新動作の一例を示すフローチャートである。
【００１２】
本発明に係るデジタル放送記録装置Ｒの録画予約動作は、図示しないオペレーションパネルやリモコンのユーザの操作により、録画予約モードを呼び出し、録画すべき放送チャンネル、録画開始時刻と録画終了時刻、録画される記憶媒体（例えば、ハードディスクドライブ部１５の領域、又は、光ディスクＤ等）、録画レート（高画質、並画質等）等が録画予約管理部２０に与えられることでも行われる。又、更に、レシーバ部１２を用いてデジタル放送信号から抽出したＥＰＧ情報、又は通信部１４を介してインターネット等から取得したＥＰＧ情報と、非接触ＩＣモジュールである無線タグ２３やバーコード等のタグを用いて、特定した予約情報により、容易に録画予約を行うことができる。
図５は、ＥＰＧ情報の一例である電子番組情報を示しており、開始時刻と終了時刻とによる放送時間情報と、放送チャンネル情報とに対応した複数の番組が示されている。各番組は、その番組固有の番組識別情報（番組ＩＤ）を有している。
【００１３】
すなわち、一例として、図６に示すように、番組ＩＤに対応して、放送局番号、放送局名、開始時刻、終了時刻、番組タイトル、番組サブタイトル、番組説明、ジャンル等の情報を有している。ここで、例えば、この電子番組情報中の「趣味講座Ａ」であれば、固有の番組ＩＤデータに対応して、図５の電子番組情報のように、１ＣＨの１９：００から１９：３０として示されているが、もし、他の地方の電子番組情報中では、１０ＣＨの２０：００から２０：３０と示されていたとしても、「趣味講座Ａ」がもつ番組識別情報（番組ＩＤ）は、同一のものである。
【００１４】
又、電子番組情報に、コード番号等の番組識別情報（番組ＩＤ）が割り当てられていない場合でも、「趣味講座Ａ」等の番組タイトルをそのまま番組識別情報（番組ＩＤ）の代わりに検索に使用することも可能であり、他の情報を番組識別情報（番組ＩＤ）として利用することも好適である。
図７のフローチャートにおいて、デジタル放送記録装置Ｒに、非接触ＩＣモジュールである無線タグ２３が貼付されているＤＶＤ−ＲＡＭ等の光ディスクＤが挿入された場合を例として録画予約を説明する。無線タグ２３が貼付されているディスクＤが挿入されると、無線タグリーダ２１の送信回路４２からアンテナ部２２を介して送信された信号が、無線タグ２３のアンテナ部４５を介して電源発生回路４７で電源に変換され、変復調回路４６や制御回路４４、メモリ４８へと電源を供給する。これにより、メモリ４８に格納されていた番組識別情報が、変復調回路４６により変調されて、アンテナ部４５を介して、無線タグリーダ２１へと、アンテナ部２２を介して供給される。供給された番組識別情報を含んだ信号は受信回路４３により復調されて、番組識別情報を制御回路４０の制御下において、制御部１１のＥＰＧ検索部１９へと供給される。これにより、番組識別情報が検出される（Ｓ１１）。
【００１５】
一方、これに応じて、レシーバ部１２、又は、通信部１４は、デジタル放送信号、又は、インターネット等から、最新のＥＰＧ情報を取得する（Ｓ１２）。次に、検出された番組識別情報を取得したＥＰＧ情報から検索する。ここで、番組識別情報は、その番組固有のコード番号等の番組ＩＤである場合や、番組タイトルである場合、その他の識別可能な番組情報である場合があり、それぞれに検索が可能である。
該当番組が検索されたら（Ｓ１４）、番組に応じた放送チャンネル情報と開始時刻、終了時刻等の録画予約情報を録画予約管理部２０に記憶して（Ｓ１５）、録画予約を完了する（Ｓ１６）。
【００１６】
該当番組が検出できない時は、ＥＰＧを取得するための日時（一日１回、１２時間おき、３時間おき等）が経過する度に（Ｓ２１）、ＥＰＧ情報を取得し（Ｓ１２）、ＥＰＧ情報による検索を繰り返す。途中、記録媒体が取り出されたことを検出したら（Ｓ２２）、録画予約を中断する。
【００１７】
一方、録画予約が完了しても（Ｓ１６）、録画が開始するまで、少なくとも録画開始直前に１回はＥＰＧを監視して、適宜、録画予約情報が更新される。すなわち、少なくとも録画開始直前に、レシーバ部１２、又は、通信部１４により、ＥＰＧ情報が取得され、ＥＰＧ情報が更新されたならば（Ｓ１７）、ＥＰＧ情報を取得して（Ｓ１８）、該当番組の番組放送時刻に変更があるかどうかを判断する（Ｓ１９）。変更があれば、これに応じて、制御部１１の録画予約管理部２０の録画予約情報を更新する（Ｓ２０）。これにより、放送予定が変更になった場合でも、ユーザの手を煩わすことなく自動的に確実な番組録画を行うことが可能となる。
又、更に、録画開始時刻が過ぎて、録画が開始されている場合でも、図８のフローチャートに示すように、所定時間毎にＥＰＧが更新されたかどうかを監視する（Ｓ３１）。更新がなければ、初めの録画終了時刻で録画を終了し（Ｓ３５）、更新されたのであれば、ＥＰＧを取得して（Ｓ３２）、該当番組の番組終了時刻に変更があれば（Ｓ３３）、自動的に録画予約情報を更新する（Ｓ３４）。
【００１８】
すなわち、更新後の録画終了時刻に応じて、更新前の録画終了時刻を過ぎても録画を延長して継続するものである。これにより、例えば、野球中継が延長されて、ドラマ等の放送の終了時刻が延長されてしまった場合でも、ユーザの手を煩わせることなく、録画終了時刻が自動的に更新されるため、録画に失敗するという不具合を回避して確実な予約録画を行うものである。
又、上述した例では、無線タグ２３が、ＤＶＤ−ＲＡＭ等の光ディスクＤに貼付された場合で説明したが、本発明の録画予約はこれに限らず、無線タグ２３単体をアンテナ部２２に近づけることで、無線タグリーダ２１に無線タグ２３を検出させることも好適である。このとき、無線タグリーダ２１の制御回路４０の制御により、無線タグ２３の検出信号に応じて、制御部１１へ制御信号が供給される。これにより、制御部１１の制御下において、ＥＰＧ検索部１９は、ＥＰＧ情報の取得、番組識別情報に応じる番組検索、放送チャンネル情報と録画開始時間・終了時間の取得が行われる。更に、取得された録画予約情報が録画予約管理部２０により記憶される。この際に、録画予約情報を制御画面に表示することで、ユーザに対して録画予約の可否を問うことも好適である。
【００１９】
これにより、ユーザは、特定の番組識別情報が記憶されている無線タグ２３をアンテナ部２２に近づけるだけで、録画予約情報を、例えば、デジタル放送記録装置に接続されたテレビ画面に表示された制御画面で知ることができ、リモコン等で録画予約処理に対して了解とする操作を行うことにより、きわめて容易に、録画予約の操作を行うことが可能となる。
又、更に、無線タグ２３を利用する代わりに、バーコードをタグとして用いて、図２で示したバーコードリーダ３２で、雑誌のテレビ番組表の特定のバーコードによる番組情報３３等をなぞるだけで、特定の番組を指定することも好適である。
【００２０】
なお、ここでバーコードで与えられる番組情報３３とは、「３ＣＨの１９：００〜２０：００」等の録画予約情報ではなく、例えば、上述した、「園芸の時間」等の特定の番組識別情報である。従って、地方ごとに異なる放送チャンネルや放送時間で放送される番組であっても、番組そのものを識別することで、地方ごとのＥＰＧ情報を番組を検索することにより、確実に録画予約情報を得ることができる。又、番組そのものを識別することで、上述したように、録画時間が延長となった場合でも、更新されたＥＰＧ情報を取得して、変更された番組終了時間を自動的に更新することにより、確実に予約録画を行うことが可能となるものである。
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００２１】
例えば、本発明は、上述したデジタル放送記録装置に限らず、従来のアナログ放送信号によるアナログ放送記録装置においても、同等の趣旨で同様の作用効果を発揮するものである。
又、上述した例では、番組識別情報を無線タグやバーコード等のタグを用いて取得したが、本発明はこれに限らず、他の媒体をタグとして用いて容易な番組識別情報の取得を可能とするものであり、この場合でも同様の作用効果を発揮するものである。
【００２２】
【発明の効果】
以上詳述したように本発明によれば、無線タグやバーコード等のタグを用いて与えられた番組識別情報を電子番組情報（ＥＰＧ情報）から自動検索することで、ユーザの手を煩わせることなく容易に録画予約を行うことができるため、特に電子機器の操作に不慣れなユーザには使用されることが少なかった録画予約機能を手軽に利用することが可能な記録装置を提供することができる。
又、本発明によれば、無線タグやバーコード等のタグを用いて与えられた番組識別情報は番組固有の情報なので、地方による放送チャンネルや放送時間の相違に影響されず録画予約を行うことが可能な記録装置と記録方法を提供することができる。
【図面の簡単な説明】
【図１】本発明に係る放送記録装置の一例の構造を示すブロック図。
【図２】本発明に係る放送記録装置の他の一例の構造を示すブロック図。
【図３】本発明に係る放送記録装置に用いる非接触ＩＣモジュールのリーダ部の一例の構造を示すブロック図。
【図４】本発明に係る放送記録装置に用いる非接触ＩＣモジュールの一例の構造を示すブロック図。
【図５】本発明に係る放送記録装置に用いる電子番組表の一例を示す図。
【図６】本発明に係る放送記録装置に用いる電子番組表のデータの一例を示す図。
【図７】本発明に係る放送記録装置の予約動作の一例を示すフローチャート。
【図８】本発明に係る放送記録装置の録画中の更新動作の一例を示すフローチャート。
【符号の説明】
Ｒ…デジタル放送記録装置、Ｐ…パラボラアンテナ、１２…レシーバ部、１３…エンコーダ・デコーダ部、１４…通信部、１５…ハードディスクドライブ部、１６…ディスクドライブ部、１７…ビデオ部、１８…オーディオ部、１９…ＥＰＧ検索部、２０…録画予約管理部、２１…無線タグリーダ部、２２…アンテナ部、２３…無線タグ、２４…非接触ＩＣチップ。
【図１】
2004173004.tif 000003
【図２】
2004173004.tif 000004
【図３】
2004173004.tif 000005
【図４】
2004173004.tif 000006
【図５】
2004173004.tif 000007
【図６】
2004173004.tif 000008
【図７】
2004173004.tif 000009
【図８】
2004173004.tif 000010